(57)【要約】【課題】紙幣挿入口から挿入された二つ折り紙幣等がリジェクトされたことにより、紙幣挿入口から二つ折り紙幣の後端部が僅かに外部に突出して停止した状態となった場合であっても、利用者の指によって容易に紙幣等をつまんで取り出すことができる。【解決手段】紙幣挿入口２１と、紙幣挿入口の下方において前方へ突設されて紙幣下面をガイドする紙幣ガイド皿１５と、を備え、紙幣ガイド皿は、紙幣挿入口から出入れされる紙幣の下面をガイドする紙幣ガイド面１５ａと、該紙幣ガイド面の幅方向中央部に配置された凹所１５ｂと、を有し、凹所は、紙幣ガイド面の前端部から紙幣挿入口の内部にまで延在している。【選択図】図３
2010244458.tif 000002
【特許請求の範囲】
【請求項１】
紙幣挿入口と、該紙幣挿入口の下方において前方へ突設されて紙幣下面をガイドする紙幣ガイド皿と、を備えた紙幣挿入機構であって、
前記紙幣ガイド皿は、紙幣挿入口から出入れされる紙幣の下面をガイドする紙幣ガイド面と、該紙幣ガイド面の幅方向中央部に配置された凹所と、を有し、
前記凹所は、前記紙幣ガイド面の前端部から前記紙幣挿入口の内部にまで延在していることを特徴とする紙幣挿入機構。
【請求項２】
請求項１に係る紙幣挿入機構と、前記紙幣挿入口から装置内部に続く紙幣搬送経路上に順次配置された挿入検知センサ、シャッター、搬送部材、長さ検知センサを備えたことを特徴とする紙幣処理装置。
【発明の詳細な説明】
【技術分野】
【０００１】
本発明は各種自動販売機、入出金装置、両替機等の紙幣取扱装置に装備される紙幣処理装置を構成する紙幣挿入機構の改良に関し、特に二つ折り紙幣、カード等、正規紙幣の長さよりも著しく短いシート状物が紙幣挿入口から挿入された場合に、挿入者がリジェクトされた紙幣等を摘み易い状態で返却することができる紙幣挿入機構、及び紙幣処理装置に関する。
【背景技術】
【０００２】
各種自動販売機、入出金装置、両替機等の紙幣取扱装置は、利用者によって紙幣挿入口から挿入された紙幣を引き込んで装置内部に搬送する過程でその紙幣長、真贋、金種を判定し、正規の紙幣である場合にはこれを受入れて更に奥部に配置された紙幣収納部に収納したり、釣銭や返却金銭を払い出す紙幣処理装置と、利用者が操作するための操作スイッチ類、ディスプレイを備えた操作ボードと、利用者との間の取引が成立した場合に物品やサービスの提供を行う物品等提供部と、を備える。紙幣処理装置は、挿入された紙幣が正規の長さを有していない場合や、偽札である場合には、これをリジェクトして紙幣挿入口から返却する。
【０００３】
図４及び図５は従来の紙幣挿入機構を備えた紙幣処理装置の構成と欠点を説明するための説明図である。
紙幣処理装置１００は、自動販売機等の紙幣取扱装置に装備される。
図４（ａ）（ｂ）に示すように、紙幣処理装置１００の正面には紙幣挿入口１０１が配置されており、紙幣挿入口１０１の直下の装置外面からは紙幣ガイド皿１０２が突設されている。紙幣挿入口１０１から装置内部に続く紙幣搬送経路には、挿入検知センサ１０３、ソレノイドにより駆動されるシャッター１０４、ローラ対（搬送部材）１０５、搬送ベルト（搬送部材）１０６、長さ検知センサ１０７が順次配置されている。更に、長さ検知センサ１０７の奥部には紙幣の真贋、金種等を判別する図示しない識別装置が配置され、識別装置の奥部には図示しない紙幣収納部が配置されている。
紙幣Ｓが紙幣挿入口１０１から挿入された場合には、挿入検知センサ１０３が紙幣先端を検知することによって図示しない制御部はソレノイドを駆動してシャッター１０４を開放し、更にモータを駆動してローラ対１０５、搬送ベルト１０６を回転させることにより紙幣を内部に搬送開始する。長さ検知センサ１０７は紙幣先端が進入してから後端が通過するまでの時間（パルス数）に基づいて紙幣の長さを判定し、正規の長さを有する場合には制御部は搬送ベルト１０６を順方向へ駆動して当該紙幣を識別装置に搬送する。一方、図示したように二つ折りされた紙幣Ｓが挿入されることにより、正規の長さよりも短尺であることが長さ検知センサ１０７により検知された場合には、制御部はこの紙幣をリジェクトするために搬送ベルト１０６及びローラ対１０５を逆転させて紙幣挿入口１０１へ返却する（図４（ｂ））。なお、二つ折り紙幣に限らず、カード類、その他、正規の長さに満たない短尺なシート類はリジェクトされて返却される。
【０００４】
ところで、紙幣挿入口に最も近い位置にある搬送部材としてのローラ対１０５の前方には、挿入検知センサ１０３、シャッター１０４が順次配置されているため、紙幣挿入口１０１の直近にローラ対１０５を配置することは難しく、紙幣挿入口とローラ対１０５との間には比較的長い距離Ｌが形成される。この距離Ｌは紙幣長さの１／２よりも多少長いとしても、図５に示すように搬送ベルト１０６とローラ対１０５の逆転によって返却された二つ折り紙幣Ｓの先端部Ｆがローラ対１０５のニップ部を抜け出て停止した状態では、紙幣Ｓの後端部Ｒは紙幣挿入口１０１から僅かに突出した状態となっている。また、紙幣挿入口から僅かに突出した後端部Ｒと紙幣ガイド皿１０２の上面（紙幣ガイド面）１０２ａとの間には僅かな隙間しかない。このため、利用者が返却されてきた二つ折り紙幣を指で摘んで取り出すことが極めて難しかった。
特許文献１、２、３には、紙幣挿入口の構造が開示されているが、このような不具合に対処するための構成は一切開示されていない。
【先行技術文献】
【特許文献】
【０００５】
【特許文献１】特開平１１−０７３５３４号公報
【特許文献２】特開２０００−１４９１２２公報
【特許文献３】特開２００２−２６００６２公報
【発明の概要】
【発明が解決しようとする課題】
【０００６】
以上のように従来の紙幣挿入機構にあっては、紙幣挿入口と、その直下の装置外面から突設された紙幣ガイド皿の上面との間に僅かな隙間しか存在せず、しかも紙幣挿入口と搬送部材とが離間していたため、二つ折り紙幣、その他の短尺なシート材等がリジェクトされて返却された場合には、二つ折り紙幣等の後端部が僅かしか紙幣挿入口から突出せず、しかも紙幣ガイド皿上面と紙幣後端部との間には紙幣後端部を指によって摘むためのスペースが十分に確保されていなかった。
本発明は上記に鑑みてなされたものであり、紙幣挿入口から挿入された二つ折り紙幣、その他の短尺なシート材等がリジェクトされたことにより、紙幣挿入口から二つ折り紙幣等の後端部が僅かに外部に突出して停止した状態となった場合であっても、利用者の指によって容易に紙幣等をつまんで取り出すことができる紙幣挿入機構、及び紙幣処理装置を提供することを目的としている。
【課題を解決するための手段】
【０００７】
上記目的を達成するため、請求項１の発明に係る紙幣挿入機構は、紙幣挿入口と、該紙幣挿入口の下方において前方へ突設されて紙幣下面をガイドする紙幣ガイド皿と、を備えた紙幣挿入機構であって、前記紙幣ガイド皿は、紙幣挿入口から出入れされる紙幣の下面をガイドする紙幣ガイド面と、該紙幣ガイド面の幅方向中央部に配置された凹所と、を有し、前記凹所は、前記紙幣ガイド面の前端部から前記紙幣挿入口の内部にまで延在していることを特徴とする。
紙幣ガイド皿は、紙幣下面をガイドする紙幣ガイド面の幅方向中心部に一段低い凹所を備えている。このため、紙幣挿入口から返却されてきた紙幣等が短尺であるために紙幣挿入口から突出する紙幣等の後端部が短すぎる場合であっても、凹所から指を差し込んで紙幣後端部を摘んで引き出すことが可能となる。
請求項２の発明に係る紙幣処理装置は、請求項１に係る紙幣挿入機構と、前記紙幣挿入口から装置内部に続く紙幣搬送経路上に順次配置された挿入検知センサ、シャッター、搬送部材、長さ検知センサを備えたことを特徴とする。
【発明の効果】
【０００８】
本発明によれば、紙幣ガイド皿の紙幣ガイド面の幅方向中心部に一段低い凹所を設けたので、紙幣挿入口から返却されてきた紙幣等が短尺であるために紙幣挿入口から突出する紙幣等の後端部が短すぎる場合であっても、凹所から指を差し込んで紙幣後端部を摘んで引き出すことが可能となる。
【図面の簡単な説明】
【０００９】
【図１】本発明の一実施形態に係る紙幣挿入機構を備えた紙幣処理装置の構成説明図である。
【図２】紙幣処理装置の内部構成を示す縦断面図である。
【図３】（ａ）（ｂ）及び（ｃ）は紙幣挿入機構の正面斜視図である。
【図４】（ａ）及び（ｂ）は従来例の構成を示す正面斜視図、及び縦断面図である。
【図５】（ａ）及び（ｂ）は従来例の欠点を示す正面斜視図、及び縦断面図である。
【発明を実施するための形態】
【００１０】
以下、添付図面に示した実施の形態に基づいて本発明を詳細に説明する。
図１は本発明の一実施形態に係る紙幣挿入機構を備えた紙幣処理装置の構成説明図であり、図２は紙幣処理装置の内部構成を示す縦断面図であり、図３（ａ）（ｂ）及び（ｃ）は紙幣挿入機構の正面斜視図である。
紙幣処理装置１は、例えば食券等の自動販売機（紙幣取扱装置）に装備されて紙幣の受け入れ処理、釣銭等としての紙幣の払い出し処理、リジェクト紙幣の返却処理等を行う機能を有する。
紙幣処理装置１は、紙幣挿入口（紙幣挿入部）２１から挿入された紙幣を紙幣搬送経路Ｐに沿って装置内部に搬送するローラ対１２ａ、搬送ベルト１２ｂ等の搬送部材１２をと、紙幣搬送経路Ｐ上に備えた装置本体１１と、紙幣の真贋、金種を判定するための図示しないセンサ群を配置してなる識別装置２６と、を有する。
紙幣挿入口２１は、装置本体１１の前部に突出した紙幣ガイド皿１５との協働により挿入される紙幣を紙幣搬送経路Ｐに導く。即ち、紙幣ガイド皿１５はその上面に紙幣ガイド面１５ａを有し、利用者により紙幣挿入口に挿入される紙幣の底面を紙幣ガイド面１５ａによってガイドすることによってスムーズな挿入を可能にしている。
【００１１】
これを更に詳述すると、紙幣処理装置１の正面には紙幣挿入口２１が配置されており、紙幣挿入口２１の直下の装置外面からは紙幣ガイド皿１５が突設されている。紙幣挿入口２１から装置内部に続く紙幣搬送経路Ｐには、挿入検知センサ２２、ソレノイドにより駆動されるシャッター２３、ローラ対（搬送部材）１２ａ、搬送ベルト（搬送部材）１２ｂ、長さ検知センサ２５が順次配置されている。更に、長さ検知センサ２５の奥部には紙幣の真贋、金種等を判別する識別装置２６が配置され、識別装置の奥部には図示しない紙幣収納部が配置されている。なお、紙幣挿入口２１と、紙幣ガイド皿１５は、紙幣挿入機構を構成している。
紙幣Ｓが紙幣挿入口２１から挿入された場合には、挿入検知センサ２２が紙幣先端を検知することによって図示しない制御部はソレノイドを駆動してシャッター２３を開放し、更にモータを駆動してローラ対１２ａ、搬送ベルト１２ｂを回転させることにより紙幣を内部に搬送開始する。長さ検知センサ２５は紙幣先端が進入してから後端が通過するまでの時間（パルス数）に基づいて紙幣の長さを判定し、正規の長さを有する場合には制御部は搬送ベルト１２ｂを順方向へ駆動して当該紙幣を識別装置に搬送する。一方、図示したように二つ折りされた紙幣Ｓが挿入されることにより、正規の長さよりも短尺であることが長さ検知センサ２５により検知された場合には、制御部はこの紙幣をリジェクトするために搬送ベルト１２ｂ及びローラ対１２ａを逆転させて紙幣挿入口２１へ返却する。
なお、二つ折り紙幣に限らず、カード類、その他、正規の長さに満たない短尺なシート類はリジェクトされて返却される。
【００１２】
紙幣挿入口に最も近い位置にある搬送部材としてのローラ対１２ａの前方には、挿入検知センサ２２、シャッター２３が順次配置されているため、紙幣挿入口２１の直近にローラ対１２ａを配置することは難しく、紙幣挿入口とローラ対との間には比較的長い距離Ｌが形成される。この距離Ｌは紙幣長さの１／２よりも若干長いとしても、図３（ｂ）に示すように搬送ベルト１２ｂとローラ対１２ａの逆転によって返却された二つ折り紙幣Ｓの先端部Ｆがローラ対１２ａのニップ部を抜け出て停止した状態では、紙幣Ｓの後端部Ｒは紙幣挿入口２１から僅かに突出した状態となっている。
本発明に係る紙幣ガイド皿１５は、紙幣挿入口２１から出入れされる紙幣の下面をガイドする紙幣ガイド面１５ａと、紙幣ガイド面の幅方向中央部に配置された凹所１５ｂと、を有し、凹所１５ｂは紙幣挿入口２１から突出した二つ折り紙幣Ｓの後端部との間に指を差し入れるための十分なスペースを形成するように縦横及び奥行き寸法を予め適切に設定されている。
このため、紙幣挿入口から僅かに突出した後端部Ｒと紙幣ガイド皿に設けた凹所１５ｂとの間には指を差し入れるに十分な縦横及び奥行きサイズの空間が形成される。このため、利用者が返却されてきた二つ折り紙幣を指で摘んで取り出すことが容易となる。
【００１３】
以上のように本発明の紙幣挿入機構によれば、紙幣ガイド皿の紙幣ガイド面の幅方向中心部に一段低い凹所を設けたので、紙幣挿入口から二つ折り紙幣等の短尺なシートが返却されてくる場合に、紙幣挿入口から突出した状態で停止している紙幣等の後端部が短すぎる場合であっても、凹所内に指を差し込むことができ、しかも凹所内に紙幣後端部を摘むのに十分な面積の紙幣下面が露出しているので、これを摘んで容易に引き出すことができる。
このように紙幣処理装置内部の搬送機構、検知機構等に一切改造を加えることなく、紙幣ガイド皿に対して簡単な改良を加えるだけで、返却されてきた二つ折り紙幣等の後端部を摘んで引き出すことが可能となる。
本発明に係る紙幣処理装置は、各種自動販売機、入出金装置、両替機等の紙幣取扱装置一般に適用することができる。
【符号の説明】
【００１４】
１…紙幣処理装置、１１…装置本体、１２…搬送部材、１２ａ…ローラ対、１２ｂ…搬送ベルト、１５…紙幣ガイド皿（紙幣挿入機構）、１５ａ…紙幣ガイド面、１５ｂ…凹所、２１…紙幣挿入口（紙幣挿入機構）、２２…挿入検知センサ、２３…シャッター、２５…長さ検知センサ、２６…識別装置
【図１】
2010244458.tif 000003
【図２】
2010244458.tif 000004
【図３】
2010244458.tif 000005
【図４】
2010244458.tif 000006
【図５】
2010244458.tif 000007